(57)【要約】【課題】電気掃除機において、付属品収納時の安定性を向上させるために、係合部を大きくして、係合代を増加させていた。【解決手段】延長管もしくは床ノズルのノズルパイプをそのリング部分に貫通させて形成した係合部２７と、本体に設けた係止部２８とを備え、前記係合部２７のリング部分の外周略同一ラジアル方向に分離した複数の引っ掛け部３０、３１を設け、前記係止部２８には前記複数の引っ掛け部３０、３１と嵌合する複数の係止部３６、３７を設けた電気掃除機とした。これにより、係合部を大きくすることなく係合代を確保でき、収納時の安定性を増すことができる。【選択図】図１
2006296451.tif 000002
【特許請求の範囲】
【請求項１】
電動送風機を内蔵した掃除機本体と、この掃除機本体と床ノズルとを連通するホースおよび延長管と、前記延長管もしくは床ノズルのノズルパイプをそのリング部分に貫通させて形成した係合部と、本体に設けた係止部とを備え、前記係合部のリング部分の外周略同一ラジアル方向に分離した複数の引っ掛け部を設け、前記係止部には前記複数の引っ掛け部と嵌合する複数の第２の係止部を設けた電気掃除機。
【請求項２】
係合部の複数の引っ掛け部は互いに延長管もしくはノズルパイプの中心から距離の異なる位置に配し、延長管もしくはノズルパイプの中心からより離して配された引っ掛け部の先端を、前記引っ掛け部より相対的に延長管もしくはノズルパイプの中心近くに配された引っ掛け部の先端に対して、上方に位置させてなる請求項１記載の電気掃除機。
【請求項３】
係止部は本体の外郭に凹部として設けた請求項１または２記載の電気掃除機。
【請求項４】
延長管もしくはノズルパイプの中心からより離して配された引っ掛け部が、前記引っ掛け部より相対的に延長管もしくはノズルパイプの中心近くに配された引っ掛け部と嵌合する係止部に、誤挿入されることを阻止する干渉体を、係合部または係止部に設けた請求項１〜３のいずれか１項記載の電気掃除機。
【発明の詳細な説明】
【技術分野】
【０００１】
本発明は、本体にホース・延長管・床ノズルを一体にして収納する構造を有する電気掃除機に関するものであり、特に本体に延長管もしくは床ノズルのノズルパイプの一部を引っ掛けて一体化する収納構造において、収納時の安定性が高く収納操作がしやすい構造に関するものである。
【背景技術】
【０００２】
従来のこの種の収納構造として延長管に掛け具を取り付けて本体と延長管他を一体化して収納する構成のものが提案されていた（例えば、特許文献１参照）。
【特許文献１】特許第３２３２６２７号公報
【発明の開示】
【発明が解決しようとする課題】
【０００３】
しかしながら前記従来の構成では、収納時の安定性を確保するために掛け具の引っ掛け部を長くする必要があり、本体を小型化しようとするために、ややもすると安定性を犠牲にするという課題があった。又掛け具を本体に挿入する際に案内部分が少なく、掛け具を本体の係止部に位置合わせし難いため使い勝手が悪いという課題があった。さらに本体と延長管の収納時の高さが規制されているため床ノズルの大きさに合わせて掛け具の種類を増やさねばならず生産性を悪くしていた。
【０００４】
本発明は前記従来の課題を解決するもので、本体の小型化を阻害することなく省スペースで安定性を確保でき、収納操作がし易く、生産性が高くコストを低減できる収納構造を提供することを目的とする。
【課題を解決するための手段】
【０００５】
前記従来の課題を解決するために本発明は、電動送風機を内蔵した掃除機本体と、この掃除機本体と床ノズルとを連通するホースおよび延長管と、前記延長管もしくは床ノズルのノズルパイプをそのリング部分に貫通させて形成した係合部と、本体に設けた係止部とを備え、前記係合部のリング部分の外周略同一ラジアル方向に分離した複数の引っ掛け部を設け、前記係止部には前記複数の引っ掛け部と嵌合する複数の第２の係止部を設けた電気掃除機としたものである。
【発明の効果】
【０００６】
本発明によれば、本体を大きくすることなく係合長さを大きくして安定性を確保することができる。
【発明を実施するための最良の形態】
【０００７】
第１の発明は、電動送風機を内蔵した掃除機本体と、この掃除機本体と床ノズルとを連通するホースおよび延長管と、前記延長管もしくは床ノズルのノズルパイプをそのリング部分に貫通させて形成した係合部と、本体に設けた係止部とを備え、前記係合部のリング部分の外周略同一ラジアル方向に分離した複数の引っ掛け部を設け、前記係止部には前記複数の引っ掛け部と嵌合する複数の第２の係止部を設けた電気掃除機としたものであり、引っ掛け部と係止部とによって少ない嵌合時の移動量で係合部長さを大きくして安定性を高めることができる。
【０００８】
第２の発明は、第１の発明における係合部の複数の引っ掛け部は、互いに延長管もしくはノズルパイプの中心から距離の異なる位置に配し、延長管もしくはノズルパイプの中心からより離して配された引っ掛け部の先端を、前記引っ掛け部より相対的に延長管もしくはノズルパイプの中心近くに配された引っ掛け部の先端に対して、上方に位置させてなるもので、本体の外郭形状に合わせて引っ掛け部と係止部を構成することができ、本体の大きさを大きくすることなく係合部長さを大きくできるので本体を小型にしながら安定性を高めることができる。
【０００９】
第３の発明は、第１または第２の発明における係止部は、本体の外郭に凹部として設けたもので、本体の外郭より外側に突出した部分がないので、本体を使用時に引き回しても引っかかるところがなく使い勝手の良いものである。
【００１０】
第４の発明は、第１〜第３のいずれか１つの発明における、延長管もしくはノズルパイプの中心からより離して配された引っ掛け部が、前記引っ掛け部より相対的に延長管もしくはノズルパイプの中心近くに配された引っ掛け部と嵌合する係止部に、誤挿入されることを阻止する干渉体を、係合部または係止部に設けたもので、本体の係止部に引っ掛け部を装着するときに、誤って装着するのを防ぐことができ、装着時の使用性を高めることができる。
【００１１】
以下、本発明の実施の形態について、図面を参照しながら説明する。なおこの実施の形態によって本発明が限定されるものではない。
【００１２】
（実施の形態１）
電気掃除機の全体構成について図４を用いて説明する。
【００１３】
電気掃除機は、電動送風機（図示せず）を内蔵し集塵室（図示せず）を有する本体２０と、前記本体２０の接続口２１に一端に設けた接続管２２で接続し他端側に握り管２３を設けたホース体２４と、握り管２３に接続した延長管２５と、延長管２５の握り管２３の他端側に接続された吸込具２６からなる床移動型電気掃除機である。そして延長管２５の先端部に取り付けた係合部２７を、そのリング部分６０に延長管もしくは床ノズルのノズルパイプを貫通させて、本体２０に設けた係止部２８に係合させて収納できるように構成されている。
【００１４】
次に、本発明の第1の実施の形態における係合部構造について図１〜図４に基づいて説明する。
【００１５】
係合部２７は帯状体に構成され延長管２５の先端に巻きつけて、ねじ２９で締結されて固定されている。そして帯状体の反対側に上下の引っ掛け部３０、３１が延長管２５と略平行に設けたリブ状に形成してある。また上側引っ掛け部３０は、延長管２５の軸中心からの距離Ｌ１が下側引っ掛け部３１の延長管２５の軸中心からの距離Ｌ２より大きくなるように配置してある。さらに上下の引っ掛け部３０、３１の両側面は全体を壁面３２で覆って各稜線部にはＲ加工が施してあり、リブ状の上下引っ掛け部３０、３１の側面が露出しないように構成している。また下側引っ掛け部３１と帯状体をつなぐ干渉体３３が設けてある。一方係止部２８は本体２０の接続口２１側下面に凹形状に設けてあり、リブ体Ａ３４とリブ体Ｂ３５各々と本体２０との間に形成した空間で上下の第２の係止部３６、３７を構成している。そして上記上下の第２の係止部３６、３７は全て本体２０の外郭に対して凹形状に構成してある。また係止部２８には係合部２７の壁面３２と嵌り合う溝部３８が形成してある。又上下の引っ掛け部３０、３１と上下の第２の係止部３６、３７の当接部４０、４１は互いに延長管２５の軸方向に最長距離Ｘ２となるように設けてある。さらに係止部２８の上側第２の係止部３６の幅Ｗ１は下側引っ掛け部３１の幅Ｗ２よりも大きくしてある。
【００１６】
次に上記構成による係合部２７と係止部２８の動作、作用について説明する。
【００１７】
係合部２７は上下の引っ掛け部３０、３１を有しているので、係合代が下側引っ掛け部３１のみの場合のＸ１と比較して大きくすることができ収納時の安定性を著しく高めることができるものである。又上側引っ掛け部３０は延長管２５の軸中心からの距離Ｌ１が下側引っ掛け部３１の延長管２５の軸中心からの距離Ｌ２より大きくなるように配置して本体２０の外郭形状に合わせているので、本体２０を大きくすることなく係合代を大きくできて上記収納時の安定性を高めることができるものである。一方係止部２８は全て本体２０の外郭に対して凹形状に構成しているので、掃除中に本体２０を引き回しても家具等に引っかかることがないので使い勝手が良いものである。
【００１８】
又、係合部２７も壁面３２が両側面を囲っているので係合部２７の剛性を高められるとともに、延長管２５及び床ノズル２６を使用中に上下の引っ掛け部３０、３１が床面等に突っかかることを少なくできるので使い勝手が良いものである。
【００１９】
さらに、干渉体３３により係合部２７の帯状体と下側引っ掛け部３１の補強ができるとともに、係止部２８に係合部２７を装着する際上側第２の係止部３６に下引っ掛け部３１が誤って装着されるのを防ぐことができる。
【００２０】
そして上下の引っ掛け部３０、３１と上下の第２の係止部３６、３７の当接部４０、４１は延長管２５の軸線方向で最長距離Ｘ２に設けているので、係合部２７を小型化しながら最大の係合代を確保して、収納時の安定性を高めることができる。
【００２１】
そして係止部２８の上側第２の係止部３６の幅Ｗ１は下側引っ掛け部３１の幅Ｗ２より大きく構成してあるので、係合部２７を係止部２８に装着するときに上側第２の係止部３６が左右方向の案内部となり、装着性を向上させられるものである。
【００２２】
以上のように、本実施の形態においては、係合部を本体の外郭形状に合わせて、延長管の軸中心からの距離を異にする上下の引っ掛け部で構成したので、本体及び係合部を小型化しながら収納時の安定性を向上できる係合部構造を得ることができる。
【００２３】
又、本実施の形態の係合部を床ノズルのパイプ体に構成しても同様の効果を得ることができるものである。
【００２４】
（実施の形態２）
図５〜図７は、本発明の第２の実施の形態の収納係合構造を示す図である。
【００２５】
図５〜図７において、係合部２７は溝状の引っ掛け部５０を有し、本体２０の下面に設けた係止部２８は前記引っ掛け部と係合する保持部５１を有している。そして係止部２８には引っ掛け部５０の下端面に当接する位置規制部５２が設けてあり、収納状態では両者の間には距離Ｓだけのスペースができるように設定されている。
【００２６】
そして、床ノズル２６はノズルパイプ５３の回動中心Ｐより床ノズル２６本体の後方に突出させた支持部５４を形成させ、さらに上記支持部５４の後端にローラ体からなる走行補助材５５を設けてある。
【００２７】
以上のように構成された収納係合構造について、以下動作、作用を説明する。
【００２８】
まず収納状態において、係合部２７の引っ掛け部５０は位置規制部５２との間にスペースＳが設けられ、床ノズル２６が床面に当接するように設定しているので、収納時の高さを最小にできるとともに、延長管２５に床ノズル２６の大きさＨがＳだけ小さいものを嵌合させて使用する場合でも同じ係合部２７を共用して同様の効果を得ることができ、部品の共用化により生産性を高くすることができるものである。
【００２９】
そして床ノズル２６はノズルパイプ５３の回動中心Ｐより床ノズル２６本体の後方に突出させた支持部５４を形成させ、さらに上記支持部５４の後端に走行補助材５５を設けてあるので、収納時の本体２０の係止部２８への延長管２５の係合部２７の装着力Ｆにより、床ノズル２６は回動中心Ｐの回りにＲ方向の回転力を受けて本体２０側に引き寄せられるので、接地面積Ｍを最小にすることができる。
【００３０】
さらに走行補助材５５はローラ体で構成されているので装着時に本体２０下面と接触するときの摺動抵抗を最小にして装着力Ｆを小さくできるので使用性の良いものである。
【００３１】
尚走行補助材５５はローラ体でなく摺動抵抗の小さい起毛布でも同等の効果を得ることができるものである。
【００３２】
以上のように本実施の形態では、係合部の下端と係止部と間に空間を設けることにより、収納時の高さを最小にできるとともに、部品を共用化し生産性を高めることができる。又、床ノズルのノズルパイプの回動中心より後ろに支持部を延設することにより収納時の床面との設置面積を最小にできるものである。
【００３３】
又、本実施の形態の係合部は床ノズルパイプに設けても同様の効果を得るものであり、本実施の形態の係合部の構成と床ノズルの構成とは独立して各々の効果を発揮するものである。
【産業上の利用可能性】
【００３４】
以上のように、本発明にかかる収納係合構造は、収納時の安定性を向上させ、小型で使い勝手が良くさらに生産性も向上させることが可能となるので、床移動型の電気掃除機の収納構成に適用できる。
【図面の簡単な説明】
【００３５】
【図１】本発明の実施の形態１における収納係合構造の全体構成を示す斜視図
【図２】図１におけるＡ−Ａ断面図
【図３】図１におけるＢ矢視図
【図４】同電気掃除機の収納状態を示す側面図
【図５】本発明の実施の形態２における収納係合構造の全体構成を示す斜視図
【図６】図５におけるＣ−Ｃ断面図
【図７】図５おけるＤ矢視図
【符号の説明】
【００３６】
２０  本体
２５  延長管
２６  床ノズル
２７  係合部
２８  係止部
３０  上引っ掛け部
３１  下引っ掛け部
３２  壁面
３３  干渉体
３６  上側第２の係止部
３７  下側第２の係止部
４０、４１  当接部
５０  引っ掛け部
５２  位置規制部
５４  支持部
５５  走行補助材
６０  リング部分
【図１】
2006296451.tif 000003
【図２】
2006296451.tif 000004
【図３】
2006296451.tif 000005
【図４】
2006296451.tif 000006
【図５】
2006296451.tif 000007
【図６】
2006296451.tif 000008
【図７】
2006296451.tif 000009